(57)【要約】      （修正有）【課題】室内照明のための照明と、除菌・脱臭などのためのオゾンを含んだ空気を設置空間に拡散させるようにした照明兼用オゾン発生器を提供する。【解決手段】ベース２に設けられたオゾン発生部３と、ベース２の一部に形成されて空気とともにオゾンを放出するオゾン放出部４と、ベース２に設けられた光源５と、オゾン放出部４及び光源５を外側から覆うように組み付けられ、空気とともにオゾンを流出させる透光性を有するカバー６と、を備える。カバー６をダクトとしてオゾンを含む空気がオゾン放出部４からそのカバー６内を上昇し上部の開口から外部に放出されるとともに、光源５から放射される光がカバー６を透過して外部を照明する。【選択図】図１
0003160820.tif 000002
【実用新案登録請求の範囲】
【請求項１】
筺体となるベースと、
ベース内に設けられたオゾン発生部と、
ベースの一部に形成されて空気とともにオゾンを放出するオゾン放出部と、
ベースに設けられた光源と、
それらベースのオゾン放出部及び光源を外側から覆う形態でそのベースに組み付けられるとともに、上部に空気とともにオゾンを流出させる開口を備えた透光性を有するカバーと、
を備え、
そのカバーをダクトとしてオゾンを含む空気が前記オゾン放出部からそのカバー内を上昇し上部の開口から外部に放出されるとともに、前記光源から放射される光がカバーを透過して外部を照明することを特徴とする照明兼用オゾン発生器。
【請求項２】
前記ベース内のオゾン発生部からオゾンを含む空気を上方へ導く誘導管が、そのベースの上面から上方へ向かって前記カバーの上端より低い中間位置まで突出するように設けられ、その誘導管の側部に固定又は近接して光源を支持する光源支持部が設けられ、前記カバーはその内側に前記誘導管、光源支持部及び光源を内包する形態で前記ベースに組み付けられている請求項１に記載の照明兼用オゾン発生器。
【請求項３】
筺体となるベースと、
ベース内に設けられたオゾン発生部と、
ベースの一部に形成されて空気とともにオゾンを放出するオゾン放出部と、
ベースに設けられた光源と、
それらベースのオゾン放出部及び光源を外側から覆う形態でそのベースに組み付けられるとともに、上部に空気とともにオゾンを流出させる開口を備えた透光性を有するカバーと、
を備え、
前記オゾン発生部は、前記ベース内に空気を取り入れる空気取入れ口と、空気に紫外線を放射してオゾンを発生させる、前記ベース内に設けられた長手状の紫外線ランプと、前記ベース内に前記空気取入れ口から空気を取り込んで前記紫外線ランプへ送り、その紫外線ランプの発光により放射される紫外線を受けるように空気を流通させる、前記ベース内に設けられたブロワと、
そのブロワで送られる空気を前記ベース内において前記長手状の紫外線ランプの長手方向に沿って導き、そこでオゾンを生じた空気を前記オゾン放出部に導く空気通路と、
を含み、
前記カバーをダクトとしてオゾンを含む空気が、前記ブロワの送風作用により前記オゾン放出部からそのカバー内を上昇し上部の開口から外部に放出されるとともに、前記光源から放射される光がカバーを透過して外部を照明することを特徴とする照明兼用オゾン発生器。
【請求項４】
前記ケース内に他と区画された長手状の閉空間として形成され、その長手方向に沿って長手状の前記紫外線ランプが収容されるとともに、長手方向の一端部に前記ブロワからの空気を流入させる空気流入口が形成され、長手方向の中間部から前記オゾン放出部へ空気が流出するオゾン発生室を備え、
そのオゾン発生室における長手方向の一端部の空気流入口から流入した空気が前記紫外線ランプに触れつつ前記オゾン発生室の長手方向の他端部へ導かれ、その他端部の壁面にぶつかりそこで反転して長手方向の中間部へいったん戻った後、その長手方向の中間部から前記オゾン放出部へ向かう空気流が生じるように前記空気通路が形成された請求項３に記載の照明兼用オゾン発生器。
【請求項５】
前記ベース内のオゾン発生部からオゾンを含む空気を上方へ導く誘導管が、そのベースの上面から上方へ向かって前記カバーの上端より低い中間位置まで突出するように設けられ、その誘導管の側部に固定又は近接して光源を支持する光源支持部が設けられ、前記カバーはその内側に前記誘導管、光源支持部及び光源を内包する形態で前記ベースに組み付けられ、
前記オゾン発生室において前記他端部の壁面で反転した後の空気を前記オゾン放出部へ導く空気誘導ダクトが形成され、その空気誘導ダクトは、長手状の前記紫外線ランプと平行にかつ前記オゾン発生室の、前記ベースの中央側に位置する内側長手方向壁面に沿って延び、一端が前記オゾン発生室の他端部の壁面に向かって開口し、他方、そのオゾン発生室の中間部で上向きに方向転換し、前記オゾン発生室を抜けて前記ベースの上面から上方へ突出し、その上端開口が前記オゾン放出部とされて全体がＬ字状に形成され、そのベースの上面から上方へ突出した部分が前記誘導管とされている請求項４に記載の照明兼用オゾン発生器。
【請求項６】
前記空気誘導ダクトの、前記オゾン発生室の他端部側に向かって開口する開口端は、その開口端面が平面視において前記オゾン発生室の前記内側長手方向壁面から離れるほど前記オゾン発生室の他端部側へ突き出る傾斜開口とされている請求項５に記載の照明兼用オゾン発生器。
【請求項７】
前記ベースには、オゾン発生器として作動させるためのオゾン発生スイッチ、
前記光源を発光させるための照明スイッチが設けられている請求項１ないし６のいずれか１項に記載の照明兼用オゾン発生器。
【請求項８】
前記ベースには、電源、前記紫外線ランプ、ブロワ、光源が接続された制御部を含む回路が設けられ、その回路には、少なくとも主電源スイッチ、オゾン発生器として作動させるためのオゾン発生スイッチ、前記光源を発光させるための照明スイッチが設けられ、オゾン発生スイッチのオン状態では、前記紫外線ランプが発光し前記ブロワが駆動されて、その紫外線ランプの発光により発生したオゾンを含む空気が前記オゾン放出部から放出されてオゾン発生作用が奏され、前記照明スイッチのオン状態では前記光源が発光して照明作用が奏され、前記オゾン発生スイッチ及び照明スイッチの双方のオン状態ではオゾン発生と照明との両作用が重層的に奏される請求項３ないし６のいずれか１項に記載の照明兼用オゾン発生器。
【請求項９】
前記オゾン発生スイッチは、前記紫外線ランプの発光駆動電圧を段階的に又は連続的に変更する紫外線強度調節操作部と、前記ブロワの回転数を段階的に又は連続的に調節するオゾン吹出量調節操作部との少なくとも一方を備え、オゾンの発生量あるいは外部へ放出される空気中のオゾン濃度が調節できるようになっている請求項８に記載の照明兼用オゾン発生器。
【考案の詳細な説明】
【技術分野】
【０００１】
本考案は、室内照明のための照明と、除菌・脱臭などのためのオゾンを含んだ空気を設置空間に拡散させるようにした照明兼用オゾン発生器に関する。
【背景技術】
【０００２】
従来、照明機能とオゾンを使用した除菌・脱臭機能を組み合わせた装飾照明塔を具備する空気浄化装置が提案されている（特許文献１参照）。
【先行技術文献】
【特許文献】
【０００３】
【特許文献１】実開平６―２９６１９号公報
【考案の概要】
【考案が解決しようとする課題】
【０００４】
ところが、かかる装置は高所の空気を下向きに吸引しているため、吸引口を高位置に設けなければならず、装置全体が大型化したり、設置時の安定性が悪化するおそれがある。しかも、高所の空気を吸引させるため設置場所が制限されたり、高所における局部的な個所の吸引であるため室内全体の浄化機能に劣るなどの問題を有している。
【０００５】
本考案の課題は、室内空間へのオゾンの拡散性の向上を図り、インテリア調度品としての床置き照明具のような感覚で室内などに設置することができる照明兼用オゾン発生器を提供することにある。
【課題を解決するための手段】
【０００６】
上記課題を解決するために、本考案の照明兼用オゾン発生器は、筺体となるベースと、ベース内に設けられたオゾン発生部と、ベースの一部に形成されて空気とともにオゾンを放出するオゾン放出部と、ベースに設けられた光源と、それらベースのオゾン放出部及び光源を外側から覆う形態でそのベースに組み付けられるとともに、上部に空気とともにオゾンを流出させる開口を備えた透光性を有するカバーと、を備え、そのカバーをダクトとしてオゾンを含む空気がオゾン放出部からそのカバー内を上昇し上部の開口から外部に放出されるとともに、光源から放射される光がカバーを透過して外部を照明することを特徴とする。
【０００７】
上記構成とすることにより、カバー上部の開口からオゾンを含んだ空気を上方に向けて放出するため、放出後におけるオゾンの拡散性が良好となり、周囲の空気との接触効率が向上することにより除菌・脱臭機能が高められる。しかも、カバーを光らせることによりインテリア調度品、例えば床置き照明具のような感覚で室内に設置することができる照明兼用オゾン発生器を提供できる。
【０００８】
上記課題を解決するために、本考案の照明兼用オゾン発生器において、ベース内のオゾン発生部からオゾンを含む空気を上方へ導く誘導管が、そのベースの上面から上方へ向かってカバーの上端より低い中間位置まで突出するように設けられ、その誘導管の側部に固定又は近接して光源を支持する光源支持部が設けられ、カバーはその内側に誘導管、光源支持部及び光源を内包する形態でベースに組み付けられていることにより、上記効果に加え、誘導管、光源支持部及び光源はカバーで隠れているため外観もスッキリと簡素化された形態の照明兼用オゾン発生器を提供できる。
【０００９】
また、上記課題を解決するために、本考案の照明兼用オゾン発生器は筺体となるベースと、ベース内に設けられたオゾン発生部と、ベースの一部に形成されて空気とともにオゾンを放出するオゾン放出部と、ベースに設けられた光源と、それらベースのオゾン放出部及び光源を外側から覆う形態でそのベースに組み付けられるとともに、上部に空気とともにオゾンを流出させる開口を備えた透光性を有するカバーと、を備え、オゾン発生部は、ベース内に空気を取り入れる空気取入れ口と、空気に紫外線を放射してオゾンを発生させる、ベース内に設けられた長手状の紫外線ランプと、ベース内に空気取入れ口から空気を取り込んで紫外線ランプへ送り、その紫外線ランプの発光により放射される紫外線を受けるように空気を流通させる、ベース内に設けられたブロワと、そのブロワで送られる空気をベース内において長手状の紫外線ランプの長手方向に沿って導き、そこでオゾンを生じた空気をオゾン放出部に導く空気通路と、を含み、カバーをダクトとしてオゾンを含む空気が、ブロワの送風作用によりオゾン放出部からそのカバー内を上昇し上部の開口から外部に放出されるとともに、光源から放射される光がカバーを透過して外部を照明することを特徴とすることにより、上記効果に加え、紫外線ランプによるオゾン発生であるため、そのオゾン濃度も人体に影響なく、かつ除菌・脱臭機能に適した濃度にできる。しかも、長手状の紫外線ランプであるためブロワで送る空気との接触距離を長くできることにより、オゾン発生効率を高くすることができる。
【００１０】
上記課題を解決するために、本考案の照明兼用オゾン発生器において、ベース内に他と区画された長手状の閉空間として形成され、その長手方向に沿って長手状の紫外線ランプが収容されるとともに、長手方向の一端部にブロワからの空気を流入させる空気流入口が形成され、長手方向の中間部からオゾン放出部へ空気が流出するオゾン発生室を備え、そのオゾン発生室における長手方向の一端部の空気流入口から流入した空気が紫外線ランプに触れつつオゾン発生室の長手方向の他端部へ導かれ、その他端部の壁面にぶつかりそこで反転して長手方向の中間部へいったん戻った後、その長手方向の中間部からオゾン放出部へ向かう空気流が生じるように空気通路が形成されたことにより、オゾン発生個所は閉空間であるためカバーの開口以外からオゾンが漏れ出すことなく安全である。しかも、オゾンとの接触距離を長くする閉空間であっても長手方向の中間部に空気の流れを戻しているためオゾン放出部をベースの中間に設けることができるので、装置全体をバランスの取れたコンパクトな形態にできる。
【００１１】
上記課題を解決するために、本考案の照明兼用オゾン発生器において、ベース内のオゾン発生部からオゾンを含む空気を上方へ導く誘導管が、そのベースの上面から上方へ向かってカバーの上端より低い中間位置まで突出するように設けられ、その誘導管の側部に固定又は近接して光源を支持する光源支持部が設けられ、カバーはその内側に誘導管、光源支持部及び光源を内包する形態で前記ベースに組み付けられ、オゾン発生室において他端部の壁面で反転した後の空気をオゾン放出部へ導く空気誘導ダクトが形成され、その空気誘導ダクトは、長手状の紫外線ランプと平行にかつ前記オゾン発生室の、ベースの中央側に位置する内側長手方向壁面に沿って延び、一端がオゾン発生室の他端部の壁面に向かって開口し、他方、そのオゾン発生室の中間部で上向きに方向転換し、オゾン発生室を抜けてベースの上面から上方へ突出し、その上端開口がオゾン放出部とされて全体がＬ字状に形成され、そのベースの上面から上方へ突出した部分が誘導管とされていることにより、空気誘導ダクトは全体がＬ字状で平行に設けられるためオゾンを含んだ空気が流れるオゾン発生室内での長手方向の中間に誘導管を位置させることができるので、オゾン発生室の長手方向の長さが必要以上に長くならず大型化しなくなり、かつ、長手方向の中間部に空気の流れを戻しているためオゾン放出部をベースの中間に設けることができるので、装置全体をバランスの取れたコンパクトな形態にすることができる。また、例えば空気誘導ダクトをステンレス製の板金材で製作することによりオゾンの高酸化作用にも侵されることもなく耐久性も良好となる。しかも、紫外線ランプの紫外線が外に漏洩しなく安全である。さらにステンレス材の表面は光の反射が良好であるため、空気通路内全体に紫外線ランプの紫外線が照射され、オゾン発生効率が良くなる。
【００１２】
上記課題を解決するために、本考案の照明兼用オゾン発生器において、空気誘導ダクトの、オゾン発生室の他端部側に向かって開口する開口端は、その開口端面が平面視においてオゾン発生室の内側長手方向壁面から離れるほどオゾン発生室の他端部側へ突き出る傾斜開口とされていることにより、他端部の壁面で反転した後の空気を空気誘導ダクト内にスムーズに誘導することができる。また、ベースには、オゾン発生器として作動させるためのオゾン発生スイッチ、光源を発光させるための照明スイッチが設けられていることにより、オゾン発生、照明ごとにオンオフできるため、単機能による作動形態と複合機能による作動形態を選択することができる照明兼用オゾン発生器を提供できる。
【００１３】
上記課題を解決するために、本考案の照明兼用オゾン発生器において、ベースには、電源、紫外線ランプ、ブロワ、光源が接続された制御部を含む回路が設けられ、その回路には、少なくとも主電源スイッチ、オゾン発生器として作動させるためのオゾン発生スイッチ、光源を発光させるための照明スイッチが設けられ、オゾン発生スイッチのオン状態では、紫外線ランプが発光しブロワが駆動されて、その紫外線ランプの発光により発生したオゾンを含む空気がオゾン放出部から放出されてオゾン発生作用が奏され、照明スイッチのオン状態では光源が発光して照明作用が奏され、オゾン発生スイッチ及び照明スイッチの双方のオン状態ではオゾン発生と照明との両作用が重層的に奏されることにより、オゾン発生機能、照明機能を選択して複数パターンの作動形態を備えさせる照明兼用オゾン発生器を提供できる。
【００１４】
上記課題を解決するために、本考案の照明兼用オゾン発生器において、オゾン発生スイッチは、紫外線ランプの発光駆動電圧を段階的に又は連続的に変更する紫外線強度調節操作部と、ブロワの回転数を段階的に又は連続的に調節するオゾン吹出量調節操作部との少なくとも一方を備え、オゾンの発生量あるいは外部へ放出される空気中のオゾン濃度が調節できるようになっていることにより、設置空間の広さや異臭の強さに対して、その除菌・脱臭機能に適したオゾン濃度、送風量を選択調整可能とする照明兼用オゾン発生器を提供できる。
【図面の簡単な説明】
【００１５】
【図１】本考案に係る照明兼用オゾン発生器の外観斜視図。
【図２】照明兼用オゾン発生器の概略平面図。
【図３】照明兼用オゾン発生器の概略正面図。
【図４】照明兼用オゾン発生器の概略背面図。
【図５】照明兼用オゾン発生器の概略側面図。
【図６】オゾン発生部の概略構成図。
【図７】電気回路のブロック図。
【図８】他の照明兼用オゾン発生器の外観斜視図。
【図９】他の照明兼用オゾン発生器の外観斜視図。
【考案を実施するための形態】
【００１６】
以下、図面を参照しながら考案の実施の形態について説明する。図１は、本考案に係る照明兼用オゾン発生器の外観斜視図である。
【００１７】
図１において、照明兼用オゾン発生器１はベース２と、該ベース２内に設けられたオゾン発生部３と、ベース２の一部に形成されて空気とともにオゾンを放出するオゾン放出部４と、ベース２に設けられた光源５と、それらベース２のオゾン放出部４及び光源５を外側から覆う形態で、そのベース２に組み付けられるとともに、上部に空気とともにオゾンを流出させる開口６ａを備えた透光性を有するカバー６とを備えている。
【００１８】
この照明兼用オゾン発生器１は、そのカバー６をダクトとしてオゾンを含む空気がオゾン放出部４からそのカバー６内を上昇し上部の開口６ａから外部に放出されるとともに、光源５から放射される光がカバー６を透過して外部を照明する機能を備えている。
【００１９】
ベース２は、図２〜図５に示すように、オゾン発生部３を取り付けるための筐体としてのシャーシ本体７と、このシャーシ本体７を外側から囲うようにして外装するための外装本体８を備えている。
【００２０】
シャーシ本体７はオゾンに対する耐性を持つステンレス製からなる板金材で中空の長方箱状に板金加工によって形成される。また、外装本体８はインテリア調度品、例えば床置き照明具としての外観を呈するように木製若しくは表面に木目模様が表れるプラスチック製によって安定感を奏するように形成されている。
【００２１】
このシャーシ本体７にはオゾン発生部３が設けられる。このオゾン発生部３は、図６に示すように、ベース２内に空気を取り入れる空気取入れ口９と、この取り入れられる空気に紫外線を放射してオゾンを発生させる長手状の紫外線ランプ１０と、空気取入れ口９から空気を取り込んで紫外線ランプ１０へ送り、その紫外線ランプ１０の発光により放射される紫外線を受けるように空気を流通させるブロワ１１と、そのブロワ１１で送られる空気を長手状の紫外線ランプ１０の長手方向に沿って導き、そこでオゾンを含んだ空気をオゾン放出部４に導く空気通路１２とを含むように構成されてシャーシ本体７内に内装されている。
【００２２】
そして、図２〜図５に示すシャーシ本体７の具体例としては、中空の長方箱状の底部側を形成するシャーシ基板７ａと、このシャーシ基板７ａに対し、上方から被冠して長方箱状となすシャーシ上蓋７ｂとによって構成される。
【００２３】
シャーシ基板７ａは長方板状に形成され、その短手方向の一辺に側壁７ａ１が形成される。この側壁７ａ１における長手方向の一方寄りには、空気取入れ口９が形成されている。この空気取入れ口９は側壁７ａ１に形成される開口部７ａ２にパンチィングメタル、不織布、スポンジなどのフィルター部材７ａ３が装着され、このフィルタ部材７ａ３によって塵、埃などの異物を除去するようにしている。
【００２４】
なお、後述するオゾン発生スイッチ２２、照明スイッチ２３、主電源スイッチ２４が外側から操作可能に、側壁７ａ１における長手方向の他一方寄りに設けられている。
【００２５】
図２〜図６に示すように、シャーシ基板７ａの空気取入れ口９に対向して、吸引口１１ａから空気を吸気することが可能な位置にブロア１１がシャーシ基板７ａ上に配設される。そして、ブロア１１の吐出口１１ｂに空気通路１２を形成するようにした長方箱状の空気通路ボックス１３が接続されている。
【００２６】
この空気通路ボックス１３はシャーシ本体７内に他と区画された長手状の箱型の閉空間を形成するものである。そして、この閉空間がオゾン発生室とされる。この空気通路ボックス１３もシャーシ本体７と同様に、オゾンに対する耐性を持つステンレス製からなる板金材で板金加工によって形成される。
【００２７】
空気通路ボックス１３は、シャーシ基板７ａの側壁７ａ１とは反対側の短手方向の他辺側に沿ってシャーシ基板７ａ上に配設される。この空気通路ボックス１３内の長手方向に紫外線ランプ１０が内装される。この紫外線ランプ１０はブロア１１の吐出口１１ｂと接続する空気流入口１３ａから流入した空気が、紫外線ランプ１０の基端側１０ａに接触し、紫外線ランプ１０に触れつつ長手方向の他端部へ導かれるように配設されている。
【００２８】
この紫外線ランプ１０はＵ字管型であり、その陰極側および陽極側を基端側１０ａとし、その基端側１０ａが取付ステー１４の固定される紫外線ランプソケット１５に挿し込まれて配設される。なお、空気通路ボックス１３には、紫外線ランプ１０を取り替えるための取替え口１３ｂが設けられている。この取替え口１３ｂには、ネジなどの締結部材によって着脱自在に閉鎖蓋１３ｃが装着されている。
【００２９】
また、紫外線ランプ１０の１本あたりのワット数は、１０Ｗ〜１５Ｗ程度であり、オゾン発生量が８ｍｇ／ｈ〜１６ｍｇ／ｈ程度となり、低いワット数でありながらオゾン発生量が多い仕様にしている。
【００３０】
また、図６に示すように、オゾン発生室としての空気通路ボックス１３には空気とともにオゾンを放出するオゾン放出部４が連設されている。このオゾン放出部４は空気通路ボックス１３内において他端部の壁面１３ｄで反転した後の空気を導く空気誘導ダクト４ａが形成される。この空気誘導ダクト４ａもシャーシ本体７と同様に、オゾンに対する耐性を持つステンレス製からなる板金材で板金加工によって形成される。
【００３１】
その空気誘導ダクト４ａは、紫外線ランプ１０と平行にかつオゾン発生室の中央側に位置する内側長手方向壁面１３ｅに沿って延び、一端がオゾン発生室の他端部の壁面１３ｄに向かって開口している。他方、そのオゾン発生室の中間部で上向きに方向転換し、オゾン発生室を抜けて上方へ突出するように、その上端開口４ｂがオゾンの放出部とされて全体が角筒形態でＬ字状に形成されている。そして、かかる上方へ突出した部分が誘導管４ｃとされている。
【００３２】
また、空気誘導ダクト４ａにおけるオゾン発生室の他端部側に向かって開口する開口端４ｄは、その開口端面が平面視においてオゾン発生室の内側長手方向壁面１３ｅから離れるほどオゾン発生室の他端部側へ突き出る傾斜開口とされている。これによって、空気通路ボックス１３内において他端部の壁面１３ｄで反転した後の空気を導くための流路が確保される。そして、この流路により他端部の壁面１３ｄで反転した後の空気を空気誘導ダクト４ａ内にスムーズに誘導することができる。
【００３３】
この誘導管４ｃが、ベース２の上面２ａから突出されており、その上端開口４ｂを、ベース２の上面２ａから立設されるカバー６の上端より低い中間位置まで突出するように設けられている。そして、この誘導管４ｃの側部に固定又は近接して光源５を支持する光源支持部１６が設けれ、該光源支持部１６に設けられる光源ソケット１７に光源５が装着される。
【００３４】
これによってカバー６はその内側に誘導管４ｃ、光源支持部１６及び光源５を内包する形態でベース２に組み付けられる。なお、光源５は蛍光灯、白熱灯及びＬＥＤなどが挙げられる。
【００３５】
次に、電装品であるブロア１１、紫外線ランプ１０、光源５を機能させる回路を有する電気回路部２０としては、図７に示すように、制御部としての主制御基盤２１にブロア１１、紫外線ランプ１０、光源５が接続されている。また、主制御基盤２１には、オゾン発生器として作動させるためのオゾン発生スイッチ２２、光源５を発光させるための照明スイッチ２３、主電源スイッチ２４が少なくとも設けられている。なお、連続運転させるための連続運転スイッチ２７、所定時間経過後に停止させるタイマースイッチ２６、異常時にアラーム音を鳴らすためのアラームスイッチ２５などを有している。
【００３６】
また、主制御基盤２１の制御回路は、オゾン発生スイッチ２２のオン状態では、紫外線ランプ１０が発光し、ブロワ１１が駆動されて、その紫外線ランプ１０の発光により発生したオゾンを含む空気がオゾン放出部４から放出されてオゾン発生作用が奏されるように制御している。また、照明スイッチ２３のオン状態では光源５が発光して照明作用が奏されるように制御している。また、オゾン発生スイッチ２２及び照明スイッチ２２の双方のオン状態ではオゾン発生と照明との両作用が重層的に奏されるように制御している。
【００３７】
また、オゾン発生スイッチ２２は、紫外線ランプ１０の発光駆動電圧を段階的に又は連続的に変更する紫外線強度調節操作部と、ブロワ１１の回転数を段階的に又は連続的に調節するオゾン吹出量調節操作部との少なくとも一方を備え、オゾンの発生量あるいは外部へ放出される空気中のオゾン濃度が調節できるようになっている。
【００３８】
カバー６は図１に示すように、天然の素材が醸し出す雰囲気と影絵の組み合わせによって彩り鮮やかに装飾模様を表示可能な透光性を有する和紙６ｂが、円筒状又は角筒状（図８参照）に設けられる。また、図９に示すように、重厚な焼き物、例えば設楽焼きによって形成される筒状部材６ｃの一部に窓部６ｄを設け、該窓部６ｄに和紙６ｂを設けることも可能である。
【００３９】
なお、上記実施の形態は、本発明の一例であり、これに限定されなく、本発明を逸脱しない限りにおいて種々の変更が可能であり、各実施の形態の構成要素を任意に組み合わせる形で構成することも可能である。
【符号の説明】
【００４０】
１            照明兼オゾン発生器
２            ベース
２ａ          上面
３            オゾン発生部
４            オゾン放出部
４ａ          空気誘導ダクト
４ｃ          誘導管
５            光源
６            カバー
９            空気取入れ口
１０          紫外線ランプ
１１          ブロワ
１２          空気通路
１３ａ        空気流入口
１３ｄ        壁面
１３ｅ        内側長手方向壁面
１６          光源支持部
２２          オゾン発生スイッチ
２３          照明スイッチ
２４          主電源スイッチ
【図１】
0003160820.tif 000003
【図２】
0003160820.tif 000004
【図３】
0003160820.tif 000005
【図４】
0003160820.tif 000006
【図５】
0003160820.tif 000007
【図６】
0003160820.tif 000008
【図７】
0003160820.tif 000009
【図８】
0003160820.tif 000010
【図９】
0003160820.tif 000011